(57)【要約】【課題】取付部材の取付位置の自由度が高い取付部材付き壁体の提供。【解決手段】本発明の取付部材付き壁体１は、列状に並ぶように立設された複数の柱状の下地材６と、裏面側が下地材６を向く形で下地材６に固定される壁状の下張り９１と、下張り９１の表面側に重ねられる形で、下張り９１に固定される壁状の上張り９２と、下張り９１と上張り９２との間に挟み込まれる板状の支持部材１２と、支持部材１２と重なるように上張り９２の表面の所定箇所に宛がわれる基部１０ｂと、この基部１０ｂを貫通すると共に、上張り９２及び支持部材１２を貫通するように、基部１０ｂ側から下張り９１側に向かって挿し込まれ、かつ基部１０ｂを上張り９２に固定する長手状の固定具１０ｅとを有する取付部材１０と、を備える。【選択図】図１
2020012342.tif 000002
【特許請求の範囲】
【請求項１】
列状に並ぶように立設された複数の柱状の下地材と、
裏面側が前記下地材を向く形で前記下地材に固定される壁状の下張りと、
前記下張りの表面側に重ねられる形で、前記下張りに固定される壁状の上張りと、
前記下張りと前記上張りとの間に挟み込まれる板状の支持部材と、
前記支持部材と重なるように前記上張りの表面の所定箇所に宛がわれる基部と、この基部を貫通すると共に、前記上張り及び前記支持部材を貫通するように、前記基部側から前記下張り側に向かって挿し込まれ、かつ前記基部を前記上張りに固定する長手状の固定具とを有する取付部材と、を備える取付部材付き壁体。
【請求項２】
前記固定具の先端は、前記下張りを貫通しないように、前記下張りの内部に留められている請求項１に記載の取付部材付き壁体。
【請求項３】
前記下張りは、石膏ボードからなる複数の下張り面材が壁状に建て込まれたものからなり、
前記上張りは、石膏ボードからなる複数の上張り面材が壁状に建て込まれたものからなる請求項１又は請求項２に記載の取付部材付き壁体。
【請求項４】
前記支持部材は、金属又は合金製の板材からなる請求項１〜請求項３の何れか一項に記載の取付部材付き壁体。
【請求項５】
前記支持部材は、前記下張り又は前記上張りに対して、両面粘着シート又は片面粘着シートを利用して固定されている請求項１〜請求項４の何れか一項に記載の取付部材付き壁体。
【発明の詳細な説明】
【技術分野】
【０００１】
本発明は、取付部材付き壁体に関する。
【背景技術】
【０００２】
石膏ボードは、耐火性、遮音性等に優れた建築材料であり、例えば、共同住宅の乾式戸境壁に利用されている。また、そのような壁には、必要に応じて、手摺や壁掛け等が設けられる。
【０００３】
石膏ボードは、一般的に、耐荷重性が低く、繰り返しの加力に対してビスや釘等の保持力が十分でないため、手摺等が、石膏ボードのみに荷重が加えられる形で取り付けられると、石膏ボードの芯材が破損する虞がある。そのため、例えば、特許文献１に示されるように、石膏ボードの裏面側にある下地材（間柱等）に支持部材（合板等）が固定され、その支持部材に対して、石膏ボードを介して表側からビスや釘等を利用して、手摺等が取り付けられる構成の壁構造体が提供されている（例えば、特許文献１参照）。
【０００４】
なお、特許文献１には、石膏ボードに代えて、耐衝撃性の高い硬質石膏板を利用した他の壁構造体も開示されている。
【先行技術文献】
【特許文献】
【０００５】
【特許文献１】特開平１０−２１９９５８号公報
【発明の概要】
【発明が解決しようとする課題】
【０００６】
前記壁構造体では、石膏ボード等の裏面側に列状に配設されている複数の下地材（間柱等）にそれぞれ切り欠き部が設けられ、それらの切り欠き部に嵌め込まれる形で、手摺等を取り付けるための支持部材が固定されている。つまり、前記壁構造体では、手摺等を取り付ける際に、支持部材の他に、支持部材を固定するための複数の下地材が必要であるため、背面側に下地材が配設されていない等の理由で、手摺等の取り付け箇所が制限される場合や、手摺等のサイズと比べて非常に大きな支持部材を使用しなければならない場合があり、問題となっていた。
【０００７】
本発明の目的は、取付部材の取付位置の自由度が高い取付部材付き壁体を提供することである。
【課題を解決するための手段】
【０００８】
本発明の取付部材付き壁体は、列状に並ぶように立設された複数の柱状の下地材と、裏面側が前記下地材を向く形で前記下地材に固定される壁状の下張りと、前記下張りの表面側に重ねられる形で、前記下張りに固定される壁状の上張りと、前記下張りと前記上張りとの間に挟み込まれる板状の支持部材と、前記支持部材と重なるように前記上張りの表面の所定箇所に宛がわれる基部と、この基部を貫通すると共に、前記上張り及び前記支持部材を貫通するように、前記基部側から前記下張り側に向かって挿し込まれ、かつ前記基部を前記上張りに固定する長手状の固定具とを有する取付部材と、を備える。
【０００９】
前記取付部材付き壁体において、前記固定具の先端は、前記下張りを貫通しないように、前記下張りの内部に留められていることが好ましい。
【００１０】
前記取付部材付き壁体において、前記下張りは、石膏ボードからなる複数の下張り面材が壁状に建て込まれたものからなり、前記上張りは、石膏ボードからなる複数の上張り面材が壁状に建て込まれたものからなることが好ましい。
【００１１】
前記取付部材付き壁体において、前記支持部材は、金属又は合金製の板材からなることが好ましい。
【００１２】
前記取付部材付き壁体において、前記支持部材は、前記下張り又は前記上張りに対して、両面粘着シート又は片面粘着シートを利用して固定されてもよい。
【００１３】
本発明によれば、取付部材の取付位置の自由度が高い取付部材付き壁体を提供することができる。
【図面の簡単な説明】
【００１４】
【図１】実施形態１の取付部材付き壁体の部分破断斜視図
【図２】図１のＡ−Ａ’線断面図
【図３】図１のＢ−Ｂ’線断面図
【図４】実施形態２の取付部材付き壁体の平断面図
【図５】実施形態３の取付部材付き壁体の縦断面図
【図６】実施形態４の取付部材付き壁体の縦断面図
【図７】実施形態５の取付部材付き壁体の縦断面図
【図８】比較例１の取付部材付き壁体の縦断面図
【発明を実施するための形態】
【００１５】
〔実施形態１〕
本発明の実施形態１を、図１〜図３を参照しつつ説明する。図１は、実施形態１の取付部材付き壁体１の部分破断斜視図である。取付部材付き壁体１は、所謂、乾式戸境壁（耐火遮音間仕切壁）であり、建築物（例えば、鉄筋コンクリート造のビル）の内部空間を区画する。
【００１６】
取付部材付き壁体１は、図１に示されるように、建築物の天井躯体（天井スラブ）２と、床躯体（床スラブ）３との間に形成される。取付部材付き壁体１は、天井躯体２の表面（天井面）に配設されている上側ランナー４と、床躯体３の表面（床面）に配設されている下側ランナー５を介して、建築物内部に取り付けられる。
【００１７】
上側ランナー４及び下側ランナー５は、所謂、ＬＧＳ（Light Gauge Steel）からなり、金属製の板材（例えば、板厚０．４ｍｍの溶融亜鉛メッキ鋼板）の両側縁が起立するように折り曲げられ、かつ内側に溝が形成されるように断面コの字型に加工されたものからなる。上側ランナー４及び下側ランナー５は、全体的には、水平方向に沿って延びた長手状をなしている。上側ランナー４は、溝が下方を向く形で、天井躯体２の表面にランナー固定ピン等の係止具を利用して固定されている。これに対し、下側ランナー５は、溝が上方を向く形で、床躯体３の表面にランナー固定ピン等の係止具を利用して固定されている。上側ランナー４及び下側ランナー５は、互いに対向しつつ平行に並ぶ形で、それぞれ天井躯体２の表面及び床躯体３の表面に配されている。
【００１８】
また、取付部材付き壁体１は、複数のスタッド（柱状の下地材の一例）６を備えている。スタッド６は、建築物の天井躯体２と床躯体３との間において、互いに間隔を保ちつつ列状に並ぶ形で立設されている。スタッド６は、所謂、ＬＧＳからなり、金属製の板材（例えば、板厚０．４ｍｍの溶融亜鉛メッキ鋼板）が略コの字型に加工されてなる部材であり、全体的には、鉛直方向（上下方向）に沿って延びた長手状をなしている。なお、スタッド６の上端は、上側ランナー４の溝内に挿入された状態で、天井躯体２側で位置決めされ、また、スタッド６の下端は、下側ランナー５の溝内に挿入され、かつ床躯体３上に載せられた状態で位置決めされている。このようにして複数のスタッド６は、等間隔で一列に並んだ状態で、天井躯体２と床躯体３との間に立設されている。
【００１９】
なお、図１に示されるように、スタッド６の開口部分には、スペーサ７が取り付けられている。１つのスタッド６に対し、複数のスペーサ７が長手方向に沿って所定間隔を置く形で設けられている。各スタッド６において、スペーサ７の高さ位置が同じになるように設定されている。また、一列に並んだ各スタッド６を横切る形で、長手状の振れ止め８が形成されている。振れ止め８は、各スタッド６の同じ高さ位置の各スペーサ７に固定されつつ、各スタッド６の内部を貫通する形で水平方向に沿って配されている。
【００２０】
上記のように一列に並んだ状態のスタッド６には、一対の壁面部材９Ｘ，９Ｙが固定されている。一方の壁面部材９Ｘは、図１の手前側に示され、他方の壁面部材９Ｙは、図１の奥側に示されている。本実施形態の取付部材付き壁体１は、所謂、片面二枚張り構造であり、各壁面部材９Ｘ，９Ｙは、それぞれ下張り９１と上張り９２を備えている。そして、図１に示されるように、壁面部材９Ｘの表面の所定箇所に、手摺（取付部材の一例）１０が取り付けられている。本実施形態の場合、一対の壁面部材９Ｘ，９Ｙのうち、一方の壁面部材９Ｘのみに、手摺１０が取り付けられている。なお、本明細書では、壁面部材９Ｘ，９Ｙにおいて、スタッド６を向く側を裏側（裏面側）とし、その逆側を表側（表面側）とする。壁面部材９Ｙの基本的な構成は、手摺１０等が取り付けられていないこと以外は、壁面部材９Ｘと同じである。そのため、ここでは、手摺１０が取り付けられる壁面部材９Ｘについて詳細に説明する。
【００２１】
図２は、図１のＡ−Ａ‘線断面図である。図２には、手摺１０のブラケット１０ａの基部１０ｂ付近における壁面部材９Ｘを上下方向に切断した断面図が示されている。なお、図３は、図１のＢ−Ｂ’線断面図である。
【００２２】
壁面部材９Ｘは、裏面側がスタッド６を向く形でスタッドに固定される壁状の下張り９１と、下張り９１の表面側に重ねられる形で、下張り９１に固定される壁状の上張りとを備えている。
【００２３】
下張り９１は、複数の下張り面材９１ａが壁状に建て込まれたものからなる。下張り面材９１ａは、長方形の板状部材であり、強化石膏ボード（石膏ボードの一例）からなる。複数の下張り面材９１ａは、所謂、横張り状態で、１つの壁（下張り９１）を構成するように建て込まれている。つまり、各下張り面材９１ａは、長辺側が水平方向に沿い、かつ短辺側が上下方向（鉛直方向）に沿う形で、下張り９１を構成している。なお、下張り面材９１ａ同士は、所謂、突き付け張りされており、隣り合った下張り面材９１ａの端面同士は、互いに突き当てられた状態となっている。このような下張り９１（下張り面材９１ａ）は、図１に示されるように、スタッド６に対して、タッピンねじ、ビス等の固定部材９１ｂを利用して固定されている。
【００２４】
上張り９２は、複数の上張り面材９２ａが壁状に建て込まれたものからなる。上張り面材９２ａは、長方形の板状部材であり、下張り面材９１ａと同様、強化石膏ボード（石膏ボードの一例）からなる。複数の上張り面材９２ａは、上述した下張り面材９１ａとは異なり、所謂、縦張り状態で、１つの壁（上張り９２）を構成するように建て込まれている。つまり、各上張り面材９２ａは、長辺側が上下方向（鉛直方向）に沿い、かつ短辺側が水平方向に沿う形で、上張り９２を構成している。上張り面材９２ａ同士は、所謂、目透かし張りされており、隣り合った上張り面材９２ａの端面同士は、互いに所定間隔を保つように離された状態となっている。なお、他の実施形態において、上張り面材９２ａ同士は、下張り面材９１ａと同様、突付け張りされてもよい。
【００２５】
このような上張り９２（上張り面材９２ａ）は、図３に示されるように、接着剤１１を利用して、下張り９１（下張り面材９１ａ）に固定されている。接着剤１１は、下張り９１（下張り面材９１ａ）の表面と、上張り９２（上張り面材９２ａ）の裏面との間で層状をなし、かつそれらの間に介在されている。
【００２６】
また、図１に示されるように、上張り９２は、下張り９１に対して、接着剤１１以外に、ステープル、タッピンねじ等からなる固定部材９２ｂを利用して、固定されている。固定部材９２ｂは、上張り９２の表面側から、下張り９１に向かって挿し込まれている。なお、固定部材９２ｂは、下張り９１を貫通しないような長さに設定されている。固定部材９２ｂのうち、後述する支持部材１２と重なる箇所に配置される固定部材９２ｂ１としては、上張り９２及び支持部材１２を貫通し易い等の理由により、タッピンねじが好ましく用いられる。この固定部材９２ｂ１によって、支持部材１２と重なる部分の上張り９２が、下張り９１に対して固定される。また、支持部材１２は、後述する固定具１０ｅと共に、固定部材９２ｂ１によって、平面状に広がった状態で、下張り９１と上張り９２との間で保持される。
【００２７】
本実施形態の場合、下張り面材９１ａ及び上張り面材９２ａは、同じ大きさ（サイズ）の強化石膏ボードからなる。具体的には、長辺の長さが、１８２０ｍｍ、短辺の長さが、９１０ｍｍ、及び厚みが１２．５ｍｍの強化石膏ボードからなる。
【００２８】
壁面部材９Ｘにおいて、下張り９１と上張り９２との間には、板状の支持部材１２が介在されている。支持部材１２は、手摺１０を、壁面部材９Ｘ（上張り９２）に固定するために利用される部材である。支持部材１２は、厚さ１．０ｍｍ以下の金属又は合金製の板材（例えば、鋼板又はステンレス鋼板）からなり、下張り９１と上張り９２との間に挟み込まれている。支持部材１２は、下張り９１や上張り９２を構成する各面材９１ａ，９２ａ（石膏ボード）と比べて、非常に厚みが小さい。支持部材１２は、図２に示されるように、両面粘着シート１３を利用して、下張り９１の表面に貼り付けられている。
【００２９】
支持部材１２は、横長の矩形状（長方形状）であり、短辺が、上下方向（鉛直方向）に沿い、かつ長辺が、水平方向に沿う形となっている。本実施形態の場合、短辺の長さが６００ｍｍである。支持部材１２は、下張り９１及び上張り９２と比べて小さく、下張り９１及び上張り９２に対して部分的に重なる大きさを備えている。つまり、本実施形態の支持部材１２は、下張り９１及び上張り９２に対して全面的に重ねられるものではない。本実施形態の場合、支持部材１２の上端縁及び下端縁は、それぞれ、天井躯体２の表面（天井面）及び床躯体３の表面（床面）から離れている。本実施形態の場合、支持部材１２の大きさ（板面の面積）は、天井躯体２の表面全体の面積に対して、例えば、１８％以下に設定される。
【００３０】
手摺１０は、水平方向に沿って延びた棒状の手摺棒１０ｃと、この手摺棒１０ｃを壁面部材９Ｘに取り付けるためのブラケット１０ａを備えている。また、ブラケット１０ａは、支持部材１２と重なるように上張り９２の表面の所定箇所に宛がわれる基部１０ｂと、その基部１０ｂから延びた形をなし、手摺棒１０ｃに接続して手摺棒１０ｃを支える支持部１０ｄとを備えている。ブラケット１０ａは、１つの手摺棒１０ｃを支えるために複数設けられており、それらは、手摺棒１０ｃの長手方向（水平方向）に沿って所定間隔で並ぶように配置される。ブラケット１０ａの基部１０ｂは、円板状をなし、その裏側の板面が上張り９２の表面の所定箇所と接触する形で、上張り９２に宛がわれる。支持部１０ｄは、基部１０ｂから水平方向に延びつつ、途中で上方に向かって立ち上がったような形をなし、その立ち上がった部分の先端が、手摺棒１０ｃに接続されている。
【００３１】
また、手摺１０は、基部１０ｂを貫通すると共に、上張り９２及び支持部材１２を貫通するように、基部１０ｂ側から下張り９１側に向かって挿し込まれ、かつ基部１０ｂを上張り９２に固定する長手状の固定具（例えば、皿ねじ等のねじ、釘）１０ｅを備えている。固定具１０ｅは、１つの基部１０ｂに対して、複数割り当てられている。固定具１０ｅは、板状の支持部材１２を貫通した状態で、支持部材１２に対して固定されている。本実施形態の場合、固定具１０ｅは、支持部材１２を固定するための両面粘着シート１３も貫通している。
【００３２】
固定具１０ｅは、支持部材１２を貫通するため、固定具１０ｅの先端１０ｅ１は、下張り９１（下張り面材９１ａ）にまで到達している。固定具１０ｅの先端１０ｅ１は、下張り９１（下張り面材９１ａ）の内部に挿し込まれているものの、下張り９１（下張り面材９１ａ）を貫通しないように、下張り９１（下張り面材９１ａ）の内部に留められている。本実施形態の場合、固定具１０ｅの先端１０ｅ１の位置は、下張り９１（下張り面材９１ａ）の厚み方向の長さにおいて、その半分程度の長さの位置を越えないように設定されている。このように、先端１０ｅ１の位置を設定することで、確実に先端１０ｅ１を、下張り９１（下張り面材９１ａ）の内部に留めておくことができる。
【００３３】
固定具１０ｅとしては、支持部材１２や上張り９２（上張り面材９２ａ）等に対して、締め込み易い等の理由により、ねじ（周面に螺旋状のねじ山を備えた固定具１０ｅ）が好ましい。
【００３４】
なお、基部１０ｂには、固定具１０ｅが挿し込まれる孔部１０ｂ１が、予め設けられている。固定具１０ｅを、上張り９２等に対して挿し込む際、先ず、固定具１０ｅの先端１０ｅ１が、基部１０ｂの孔部１０ｂ１に挿入される。その後、固定具１０ｅは、回転しながら、上張り９２を貫通するように挿し込まれ、更に、支持部材１２を貫通するように挿し込まれる。
【００３５】
なお、図示されていないものの、壁面部材９Ｘ，９Ｙの各上端と、天井躯体２との間の隙間、及び壁面部材９Ｘ，９Ｙの各下端と、床躯体３との間の隙間には、それぞれ端部処理材（例えば、アクリル系樹脂のシーリング材）が充填されている。また、図示されていないものの、壁面部材９Ｘと壁面部材９Ｙとの間には、断熱材（例えば、ガラスウール）が充填されている。
【００３６】
以上のような、取付部材付き壁体１において、手摺棒１０ｃに利用者が掴まる等して、手摺１０に荷重（例えば、下方へ向かう荷重）が繰り返して、加えられても、手摺１０の基部１０ｂが、固定具１０ｅによって、下張り９１と上張り９２との間にある補強用の支持部材１２に固定されているため、壁面部材９Ｘは、手摺１０を安定した状態で支えることができる。本実施形態の場合、固定具１０ｅは、上張り９２のみならず、支持部材１２によって保持された状態となっている。
【００３７】
上張り面材９２ａや下張り面材９１ａに使用される強化石膏ボード等の石膏ボードは、耐火性や遮音性等に優れるものの、一般的に、脆い材料として知られている。そのため、石膏ボードのみで、固定具１０ｅを保持し、手摺１０を支えようとすると、固定具１０ｅと接触している部分（固定具１０ｅを保持している部分）の石膏ボードが壊れ、手摺１０が外れてしまう虞がある。これに対し、本実施形態では、上述したように、固定具１０ｅは、上張り９２のみならず、石膏ボード等よりも強度が高い支持部材１２によって保持さるため、石膏ボードの破損が抑制され、しかも、手摺１０を安定した状態で支えることができる。
【００３８】
また、本実施形態の支持部材１２は、スタッド６等の下地材に固定されるものではなく、下張り９１の表面側に、両面粘着シートを利用して固定されている（他の実施形態においては、支持部材１２が上張り９２の裏面側に両面粘着シート等を利用して固定されてもよい）。そして更に、支持部材１２は、下張り９１と上張り９２との間で挟み付けられることにより、それらの間で安定した状態で静止している。支持部材１２の厚みは、上張り９２や下張り９１と比べて、非常に小さく、上張り９２と下張り９１とを接着する層状をなした接着剤１１の厚みと同程度である。支持部材１２の大きさ、及びその取付箇所は、手摺１０の大きさや取付箇所等に応じて、適宜、設定される。
【００３９】
このような支持部材１２は、予め決められた箇所に配設されているスタッド６等に取り付ける必要がないため、手摺１０の取付位置を自由に設定することができる。つまり、本実施形態の取付部材付き壁体１は、手摺１０の取付位置の自由度が高いと言える。
【００４０】
なお、上述したように、本実施形態では、手摺１０を固定するために利用される長手状の固定具１０ｅの先端１０ｅ１は、上張り９２を厚み方向に貫通するものの、下張り９１については、貫通しない構成となっている。つまり、固定具１０ｅは、壁面部材９Ｘを貫通しない構成となっている。そのため、本実施形態の取付部材付き壁体１では、手摺１０を取り付けるための固定具１０ｅによって、消防法等で問題とされる、区画貫通部が形成されることが防止されている。そのため、取付部材付き壁体１は、特に耐火性に優れるものと言える。
【００４１】
また、火災等の際に、支持部材１２が熱膨張しても、支持部材１２は、下張り９１と上張り９２との間で挟み込まれており、かつ固定具１０ｅが固定されているため、支持部材１２は、主として、平面状に広がるように膨張し、支持部材１２が波打つように変形することが抑制される。なお、仮に、支持部材１２が熱膨張により波打つように変形してしまうと、互いに接着した下張り９１と上張り９２とが互いに離れるように剥がれる虞がある。
【００４２】
〔実施形態２〕
次いで、本発明の実施形態２を、図４を参照しつつ説明する。図４は、実施形態２の取付部材付き壁体１Ａの平断面図である。本実施形態の取付部材付き壁体１Ａは、複数並んだスタッド６Ａの片側のみに、壁面部材９ＸＡが取り付けられている。本実施形態の取付部材付き壁体１Ａは、所謂、片面施工の壁体であり、階段室、エレベーターシャフト等の様々な箇所で利用可能である。
【００４３】
壁面部材９ＸＡは、上記実施形態１と同様、下張り９１Ａと、上張り９２Ａとを備えている。そして、それらの間で挟み込まれる形で、支持部材１２Ａが配置されている。支持部材１２Ａは、上記実施形態１と同様、両面粘着シート１３Ａを利用して、下張り９１Ａの表面側に固定されている。また、下張り９１Ａと上張り９２Ａは、接着剤１１Ａを介して互いに接着されている。
【００４４】
そして、壁面部材９ＸＡの表面に、実施形態１と同様、ブラケット１０ａＡ、基部１０ｂＡ、手摺棒１０ｃＡ及び固定具１０ｅＡを備えた手摺１０Ａが取り付けられている。本実施形態の取付部材付き壁体１Ａでは、支持部材１２Ａが、壁面部材９ＸＡのうち、隣り合ったスタッド６の間にある部分の下張り９１Ａと上張り９２Ａとの間に、配置されている。このように、取付部材付き壁体１Ａでは、スタッド６Ａが全く設けられていない箇所でも、手摺１０Ａを取り付けることが可能である。
【００４５】
〔実施形態３〕
次いで、本発明の実施形態３を、図５を参照しつつ説明する。図５は、実施形態３の取付部材付き壁体１Ｂの縦断面図である。図５には、図２に示される実施形態１の断面図に対応する部分が示されている。本実施形態の取付部材付き壁体１Ｂの基本的な構成は、上記実施形態１と同様であり、壁面部材９ＸＢは、下張り９１Ｂと、上張り９２Ｂとを備えている。そして、それらの間で挟み込まれる形で、支持部材１２Ｂが配置されている。ただし、本実施形態の支持部材１２Ｂは、下張り９１Ｂの表面に対して、両面粘着シートではなく、ビス等の固定部材１３Ｂを利用して固定されている。なお、下張り９１Ｂと上張り９２Ｂは、上記実施形態１と同様、接着剤を介して互いに接着されている。
【００４６】
そして、壁面部材９ＸＢの表面に、実施形態１と同様、ブラケット１０ａＢ（基部１０ｂＢ、支持部１０ｄＢ）、手摺棒１０ｃＢ及び固定具１０ｅＢを備えた手摺１０Ｂが取り付けられている。
【００４７】
本実施形態のように、両面粘着シートに代えて、ビス等の固定部材１３Ｂを利用して、下張り９１Ｂ（又は上張り９２Ｂ）に支持部材１２Ｂを固定してもよい。また、他の実施形態においては、固定部材１３Ｂと両面粘着シートを併用して、支持部材１２Ｂを固定してもよい。
【００４８】
〔実施形態４〕
次いで、本発明の実施形態４を、図６を参照しつつ説明する。図６は、実施形態４の取付部材付き壁体１Ｃの縦断面図である。図６には、図２に示される実施形態１の断面図に対応する部分が示されている。本実施形態の取付部材付き壁体１Ｃの基本的な構成は、上記実施形態１と同様であり、壁面部材９ＸＣは、下張り９１Ｃと、上張り９２Ｃとを備えている。そして、それらの間で挟み込まれる形で、支持部材１２Ｃが配置されている。また、支持部材１２Ｃは、実施形態１と同様、両面粘着シート１３Ｃを利用して、下張り９１Ｃの表面に対して固定されている。なお、下張り９１Ｃと上張り９２Ｃは、上記実施形態１と同様、接着剤を介して互いに接着されている。
【００４９】
そして、壁面部材９ＸＣの表面には、実施形態１と同様、ブラケット１０ａＣ（基部１０ｂＣ、支持部１０ｄＣ）、手摺棒１０ｃＣ及び固定具１０ｅＣを備えた手摺１０Ｃが取り付けられている。ただし、本実施形態の固定具１０ｅＣは、その先端１０ｅ１Ｃが、下張り９１の裏面から突出した状態となっている。つまり、固定具１０ｅＣは、上記実施形態１等とは異なり、下張り９１を貫通した状態となっている。そのため、本実施形態では、固定具１０ｅＣが、手摺１０Ｃの基部１０ｂＣ、上張り９２Ｃ、支持部材１２Ｃ、及び下張り９１Ｃをそれぞれ貫通する形となっている。なお、固定具１０ｅＣは、両面粘着シート１３Ｃも貫通している。このように、壁面部材９ＸＣを厚み方向に貫通するような長さの固定具（皿ねじ等）１０ｅＣを利用して、手摺１０Ｃを壁面部材９ＸＣに固定してもよい。なお、耐火性等の観点からは、取付部材付き壁体１Ｃの壁面部材９ＸＣに、区画貫通部が形成されない方が好ましいと言える。そのため、耐寒性等の観点からは、本実施形態よりも、上記実施形態１等のように、固定具が、下張りを貫通しないように、固定具の先端を、下張りの内部に留めることが好ましい。
【００５０】
〔実施形態５〕
次いで、本発明の実施形態５を、図７を参照しつつ説明する。図７は、実施形態５の取付部材付き壁体１Ｄの縦断面図である。本実施形態では、取付部材として、手摺ではなく、時計等を掛けるためのフック１０Ｄが、壁面部材９ＸＤに取り付けられる。フック１０Ｄ以外の基本的な構成は、上記実施形態１と同様であり、壁面部材９ＸＤは、下張り９１Ｄと、上張り９２Ｄとを備えている。そして、それらの間で挟み込まれる形で、フック１０Ｄを取り付けるために使用される支持部材１２Ｄが配置されている。また、支持部材１２Ｄは、実施形態１と同様、鋼板等で構成される。支持部材１２Ｄの大きさ、厚み等は、取付部材（フック１０Ｄ）の種類や用途等に応じて、適宜、設定される。支持部材１２Ｄは、両面粘着シート１３Ｄを利用して、下張り９１Ｄの表面に対して固定されている。なお、下張り９１Ｄと上張り９２Ｄは、上記実施形態１と同様、接着剤を介して互いに接着されている。
【００５１】
そして、壁面部材９ＸＤ（上張り９２Ｄ）の表面の所定箇所に、基部１０ｂＤと、この基部１０ｂＤから突出したフック部１０ａＤとを有するフック１０Ｄが取り付けられる。また、フック１０Ｄは、基部１０ｂＤを貫通すると共に、上張り９２Ｄ及び支持部材１２Ｆを貫通するように、基部１０ｂＤ側から下張り９１Ｄ側に向かって挿し込まれ、かつ基部１０ｂＤを上張り９２Ｄに固定する長手状の固定具（皿ネジ、釘等）１０ｅＤを備えている。
【００５２】
本実施形態のように、取付部材として、フック１０Ｄ等の手摺以外のものが、壁面部材９ＸＤに取り付けられる構成であってもよい。
【００５３】
〔比較例１〕
次いで、比較例１の取付部材付き壁体１Ｐについて、図８を参照しつつ説明する。図８は、比較例１の取付部材付き壁体１Ｐの縦断面図である。比較例１の取付部材付き壁体１Ｐは、上記実施形態１と同様、取付部材として手摺１０Ｐが壁面部材９ＸＰに取り付けられるものである。手摺１０Ｐは、ブラケット１０ａＰ（基部１０ｂＰ、支持部１０ｄＰ）、手摺棒１０ｃＰ及び固定具１０ｅＰを備えている。
【００５４】
ただし、比較例１では、手摺１０Ｐを取り付けるために利用する板状の支持部材１２Ｐが、下張り９１Ｐと上張り９２Ｐとの間ではなく、下張り９１Ｐの裏面側に配されている。しかも、支持部材１２Ｐは、図示されないスタッド（下地材）に対してビス等を利用して固定される。なお、支持部材１２Ｐは、スタッドに固定せず、下張り９１Ｐの裏面に対してのみ、両面粘着シート等を利用して固定することは望ましくない。何故ならば、手摺１０Ｐを取り付ける際に利用される固定具１０ｅＰが、基部１０ｂＰ側から下張り９１Ｐ側に向かって挿し込まれると、支持部材１２Ｐは、固定具１０ｅＰに押されて、下張り９１Ｐの裏面から離れる可能性があるからである。また、比較例１では、上記実施形態１等と同程度の厚みの支持部材１２Ｐを用いた場合、固定具１０ｅＰの先端は、必ず、支持部材１２Ｐを貫通することになる。つまり、比較例１では、手摺１０Ｐの取付に伴って、壁面部材９ＸＰに、必ず区画貫通部が形成されてしまうことになる。このような事情等により、支持部材１２Ｐは、下張り９１Ｐの裏面側に配置するのではなく、上述した各実施形態のように、支持部材を、下張りと上張りとの間で挟み込む形で配置することが好ましいと言える。
【００５５】
＜他の実施形態＞
本発明は上記記述及び図面によって説明した実施形態に限定されるものではなく、例えば次のような実施形態も本発明の技術的範囲に含まれる。
【００５６】
（１）上記実施形態では、複数のスタッド６が一列に真っ直ぐ整列した状態で立設されていたが、本発明はこれに限られず、他の実施形態においては、例えば、複数のスタッドが所謂、千鳥配置で整列した状態で立設されてもよい。つまり、複数のスタッドを、左右交互に位置をずらして配置させてもよい。
【００５７】
（２）上記実施形態のスタッド６は、上述したよう形状を備えていたが、本発明はこれに限られず、例えば、角スタッド等の一般的な形状の部材が用いられてもよい。また、スタッドの板厚についても、本発明は上述したものに限られず、例えば、０．４５ｍｍ、０．６ｍｍ、０．８ｍｍ、１．２ｍｍ、１．６ｍｍ、２．３ｍｍ、３．２ｍｍ、４．０ｍｍ、４．５ｍｍ、６．０ｍｍ等が挙げられる。
【００５８】
（３）上記実施形態では、下張り面材９１ａ及び上張り面材９２ａが共に、強化石膏ボードによって構成されていたが、本発明はこれに限られず、例えば、石膏ボード、硬質石膏ボード等がそれらの面材として使用されてもよい。また、上記実施形態では、下張り面材９１ａ及び上張り面材９２ａは共に同じ大きさ（サイズ）であったが、本発明はこれに限られず、他の実施形態においては、互いに違う大きさ（サイズ）であってもよい。
【００５９】
（４）支持部材は、下張り又は上張りに対して、両面粘着シート（テープを含む）を利用して固定されてもよいし、片面のみに粘着剤層を備えた片面粘着シート（テープを含む）を利用して固定されてもよい。
【００６０】
（５）下張り面材及び上張り面材の張り方は、本発明の目的を損なわない限り、特に制限はなく、目的に応じて適宜、設定される。下張り面材及び上張り面材の張り方としては、縦張り、横張り、イモ張り、レンガ張り等の各種面材の公知の張り方を適用することができる。
【００６１】
（６）上張り面材の種類としては、素地仕上げ、塗装仕上げ、クロス仕上げ等、特に制限はない。また、本発明の目的を損なわない限り、下張り面材及び上張り面材に対して、他の層が積層されてもよい。
【符号の説明】
【００６２】
１…取付部材付き壁体、２…天井躯体、３…床躯体、４…上側ランナー、５…下側ランナー、６…スタッド（下地材）、９Ｘ，９Ｙ…壁面部材、９１…下張り、９１ａ…下張り面材、９２…上張り、９２ａ…上張り面材、１０…手摺（取付部材）、１０ａ…ブラケット、１０ｂ…基部、１０ｃ…手摺棒、１０ｄ…支持部、１０ｅ…固定具、１１…接着剤、１２…支持部材、１３…両面粘着シート
【図１】
2020012342.tif 000003
【図２】
2020012342.tif 000004
【図３】
2020012342.tif 000005
【図４】
2020012342.tif 000006
【図５】
2020012342.tif 000007
【図６】
2020012342.tif 000008
【図７】
2020012342.tif 000009
【図８】
2020012342.tif 000010